(57)【要約】【課題】供給量を監視していなくてもプライミング液のリザーババッグへの供給量を容易に調整できる急速輸液装置を提供することを目的とする。【解決手段】移送する液体Ｌを貯留するリザーババッグ４を備えた液体回路２が装着され、液体回路２内を通過する液体Ｌを加温すると共に移送する、急速輸液装置１であって、プライミング液ＰＬが貯留されたプライミング液貯留バッグ４Ｂを支持する下段可動ハンガー部４８Ｂと、リザーババッグ４を支持する上段可動ハンガー部４８Ａと、下段可動ハンガー部４８Ｂと上段可動ハンガー部４８Ａとを支持するスタンド部４７と、を備え、下段可動ハンガー部４８Ｂ及び上段可動ハンガー部４８Ａの少なくとも一方はスタンド部４７に上下方向に移動可能に支持され、プライミング液貯留バッグ４Ｂ内のプライミング液ＰＬを、高低差を利用して、空のリザーババッグ４内に供給可能である。【選択図】図７
2015157049.tif 000002
【特許請求の範囲】
【請求項１】
移送する液体を貯留するリザーババッグを備えた液体回路が装着され、前記液体回路内を通過する液体を加温すると共に移送する、急速輸液装置であって、
プライミング液が貯留されたプライミング液貯留バッグを支持するプライミング液貯留バッグ支持部と、
前記リザーババッグを支持するリザーババッグ支持部と、
前記プライミング液貯留バッグ支持部と前記リザーババッグ支持部とを支持するスタンド部と、を備え、
前記プライミング液貯留バッグ支持部及び前記リザーババッグ支持部の少なくとも一方は前記スタンド部に上下方向に移動可能となるように支持され、
前記プライミング液貯留バッグ内の前記プライミング液を、前記プライミング液貯留バッグ支持部と前記リザーババッグ支持部との高低差を利用して、空の前記リザーババッグ内に供給可能である、急速輸液装置。
【請求項２】
前記プライミング液貯留バッグは、前記プライミング液貯留バッグ支持部に吊り下げられ、
前記リザーババッグは、前記リザーババッグ支持部に吊り下げられ、
前記プライミング液貯留バッグ支持部は、前記リザーババッグ支持部よりも下方に配置されている、請求項１記載の急速輸液装置。
【請求項３】
前記スタンド部には、前記プライミング液貯留バッグ支持部と前記リザーババッグ支持部との高低差を示す位置表示部が設けられている、請求項１又は２記載の急速輸液装置。
【発明の詳細な説明】
【技術分野】
【０００１】
本発明は、液体を移送する前にプライミング処理が行われる急速輸液装置に関する。
【背景技術】
【０００２】
例えば全血や血液製剤といった液体を患者に移送する場合、安全上、血管内への空気の混入は避けなければならない。そのため、液体を移送する前に、装置の液体回路にプライミング液を充填させて液体回路内の空気を除去する。プライミング液は、装置の液体回路に導入される前にリザーババッグに貯留され、リザーババッグ内で他の薬剤と混合される。従来、プライミング液をリザーババッグ内に供給する方法として、プライミング液を点滴スタンドの上段に吊り下げ、リザーババッグを下段に吊り下げる方法が行われている（特許文献１）。これにより、高低差によってプライミング液がリザーババッグに供給される。
【０００３】
プライミング液は、リザーババッグに供給される量が適量となるように制御する必要がある。すなわち、プライミング液が少な過ぎる場合、装置の液体回路内を充填できず空気が残ってしまう。一方、プライミング液が多過ぎる場合、リザーババッグ内で他の薬剤の濃度が薄まり過ぎるために調整に手間が掛かり、また、患者の体内に導入されるプライミング液が増加してしまう。そこで、従来の高低差を利用した供給方法においては、操作者がプライミング液の供給量を監視し、適量と判断した時点で液体回路をクランプして供給を停止することで、供給量を制御していた。
【先行技術文献】
【特許文献】
【０００４】
【特許文献１】米国特許公開第２０１１−０１２５２３２号公報
【発明の概要】
【発明が解決しようとする課題】
【０００５】
しかしながら、上述した方法では、操作者がプライミング液の供給を停止するタイミングを逸した場合、プライミング液が適量を超えて供給され、最終的には全量がリザーババッグに貯留されてしまう。従って、操作者はプライミング液の供給量に細心の注意を払う必要があり、プライミング液の供給量を監視している間は他の作業を行うことができなくなる。このように、医療現場の作業効率を悪化させずに適量のプライミング液をリザーババッグへ供給することは難しかった。
【０００６】
本発明は、以上の課題を解決することを目的としており、供給量を監視していなくてもプライミング液のリザーババッグへの供給量を容易に調整できる急速輸液装置を提供することを目的とする。
【課題を解決するための手段】
【０００７】
本発明は、移送する液体を貯留するリザーババッグを備えた液体回路が装着され、液体回路内を通過する液体を加温すると共に移送する、急速輸液装置であって、プライミング液が貯留されたプライミング液貯留バッグを支持するプライミング液貯留バッグ支持部と、リザーババッグを支持するリザーババッグ支持部と、プライミング液貯留バッグ支持部とリザーババッグ支持部とを支持するスタンド部と、を備え、プライミング液貯留バッグ支持部及びリザーババッグ支持部の少なくとも一方はスタンド部に上下方向に移動可能となるように支持され、プライミング液貯留バッグ内のプライミング液を、プライミング液貯留バッグ支持部とリザーババッグ支持部との高低差を利用して、空のリザーババッグ内に供給可能である。
【０００８】
プライミング液貯留バッグ内に残っているプライミング液の液面とリザーババッグ内に貯留されたプライミング液の液面とが同じ高さになると、プライミング液貯留バッグからリザーババッグへのプライミング液の供給が自動的に停止する。そして、この急速輸液装置によれば、プライミング液貯留バッグ支持部とリザーババッグ支持部との上下方向の相対位置を変えることで、プライミング液貯留バッグとリザーババッグとの高低差を自由に調整でき、プライミング液の供給量が適切になるように、プライミング液貯留バッグとリザーババッグとの高低差を調節できる。その結果、供給量を監視していなくてもプライミング液のリザーババッグへの供給量を容易に調整できる。
【０００９】
また、プライミング液貯留バッグは、プライミング液貯留バッグ支持部に吊り下げられ、リザーババッグは、リザーババッグ支持部に吊り下げられ、プライミング液貯留バッグ支持部は、リザーババッグ支持部よりも下方に配置されていると好適である。プライミング液貯留バッグ支持部をリザーババッグ支持部よりも下に配置することで、少なくとも、プライミング液貯留バッグの吊り下げ位置を、リザーババッグの吊り下げ位置よりも低い位置にすることができる。その結果、プライミング液貯留バッグ内のプライミング液の全量がリザーババッグ内に供給されてしまうことを防止し易くなり、適量のプライミング液を供給し易くなる。
【００１０】
また、スタンド部には、プライミング液貯留バッグ支持部とリザーババッグ支持部との高低差を示す位置表示部が設けられていると好適である。プライミング液貯留バッグとリザーババッグとの高低差を目視で確認できるため、プライミング液の供給量の微調整が容易になる。
【発明の効果】
【００１１】
本発明によれば、供給量を監視していなくてもプライミング液のリザーババッグへの供給量を容易に調整できる。
【図面の簡単な説明】
【００１２】
【図１】本実施形態に係る急速輸液装置を示す斜視図である。
【図２】本実施形態に係る急速輸液装置の背面図である。
【図３】急速輸液装置に装着された液体回路を拡大して示す斜視図である。
【図４】液体回路の一例を示す図である。
【図５】本実施形態に係る急速輸液装置のブロック図である。
【図６】液体を移送する方法を模式的に示す図である。
【図７】スタンド部を拡大して示す背面図である。
【発明を実施するための形態】
【００１３】
以下、図面を参照しつつ本発明の好適な実施形態について詳細に説明する。なお、本実施形態で用いる「液体」とは、赤血球、白血球、または血小板などの血液成分を含む液体を広く意図しており、輸血用の全血製剤、赤血球製剤、血小板製剤、血漿製剤などの血液製剤を含む。
【００１４】
本実施形態に係る急速輸液装置１は、治療において血液製剤などの液体を患者に導入する装置であり、特に、緊急を要する場合に、冷蔵保存された液体を適当な温度まで加温しながら圧送する装置である。急速輸液装置１には血液成分を含む液体が通過する液体回路２が装着される。最初に、液体回路２について説明し、その後、急速輸液装置１を詳述する。
（液体回路）
【００１５】
図３、及び図４に示されるように、液体回路２は、例えば、塩化ビニル製のチューブなどを備えており、液体Ｌが通過する流路を形成している。液体回路２は、急速輸液装置１の所定位置に設置され、急速輸液装置１の駆動によって液体回路２内の液体Ｌが移送され、また、液体回路２内を通過する液体Ｌが適宜に加温される。
【００１６】
液体回路２は、基本的に外気から遮断された閉鎖系の液体流路であり、低温貯蔵によって品質管理されていた血液等と抗凝固剤との混合液体（液体）Ｌを貯留するリザーババッグ４と、液体Ｌを移送する送液ライン１０と、送液ライン１０の終端に設けられて液体Ｌを排出する穿刺針接続部５と、送液ライン１０上に設けられたドリップチャンバ７と、を備えている。
【００１７】
送液ライン１０は、リザーババッグ４と穿刺針接続部５とを連絡する液体流路であり、送液ライン１０の途中には、ドリップチャンバ７が取り付けられている。送液ライン１０のうち、ドリップチャンバ７を挟んだ上流側は上流側ライン１１であり、下流側は下流側ライン１２である。
【００１８】
ドリップチャンバ７は、流路を形成するチューブの内径に比べて幅の広い筒状容器であり、ドリップチャンバ７内に流入した液体Ｌから気泡が分離捕捉される。ドリップチャンバ７は、長手方向が上下を向くように急速輸液装置１に設置され、上部には気泡排出口７ａと液体受入口７ｃとが設けられ、下端部には液体排出口７ｂが設けられている。
【００１９】
上流側ライン１１の途中には、合成樹脂製でプレート状の加温バッグ（加温経路部）１３が設けられている。加温バッグ１３は、加温装置８０に接触等するように急速輸液装置１内に挿入される。加温バッグ１３には液体Ｌが通過する蛇行流路１３ａが形成されており、蛇行流路１３ａの入口１３ｂと出口１３ｃとには、それぞれチューブが接続されている。入口１３ｂ側のチューブはリザーババッグ４に接続されており、出口１３ｃ側のチューブはドリップチャンバ７の液体受入口７ｃに接続されている。
【００２０】
また、ドリップチャンバ７の液体排出口７ｂにはチューブが接続され、このチューブの下流側の端部には、穿刺針接続部５が設けられている。また、ドリップチャンバ７の気泡排出口７ａにはチューブが接続され、このチューブの他方の端部はリザーババッグ４に接続されている。ドリップチャンバ７の液体排出口７ｂに接続されたチューブは下流側ライン１２を形成し、気泡排出口７ａに接続されたチューブは気泡戻しライン１５を形成する。また、下流側ライン１２を形成するチューブは、途中の分岐部１２ａで分岐し、リザーババッグ４に接続される。下流側ライン１２の分岐部１２ａから分岐するチューブは、追加気泡戻しライン１７を形成する。
【００２１】
また、液体回路２の主要部は、回路パネル３に組み付けられ、一体的にまとめられている。回路パネル３を急速輸液装置１の所定位置に装着することで、間接的、且つ簡易に液体回路２の主要部の急速輸液装置１への装着が完了する。
（急速輸液装置）
【００２２】
図１〜図５に示されるように、急速輸液装置１は、液体回路２を通過する液体Ｌを圧送する送液ポンプＰ１、液体Ｌを加温する加温装置８０、液体Ｌ中の気泡を検出する各検出器３０ａ、３０ｂ、３０ｃ、液体回路２のチューブを締め付けて流路を閉じ、締め付けを解いて流路を開く主クランプ３１、及び副クランプ３２を備え、更に、送液ポンプＰ１、気泡除去ポンプＰ２，及び加温装置８０等の制御を行う制御部５０を備えている。
【００２３】
急速輸液装置１の筐体４０は、コンパクトでスリムな体形を意識して設計されており、奥行きに比べて正面、及び背面の幅がかなり狭くなっている。筐体４０は、側面視で縦長の略矩形であり、更に、上部が前方に嘴状に突き出した形状になっている。この嘴状の形状により、筐体４０の正面上部には、傾斜面４０ａが形成されている。また、筐体４０の上端である略平坦な部分は、周縁よりも内側の方が僅かに窪んだトレー部４０ｂが形成されており、作業時の物置として適宜利用できる。
【００２４】
筐体４０の正面上部に設けられた傾斜面４０ａには、操作パネル６０が設けられている。操作パネル６０には、表示モニター６１、停止スイッチ６２、各種設定ボタン６３、二つの流量調整つまみ（以下「流量調整ハンドル」という）６４、６５が配置されている。二つの流量調整ハンドル６４、６５のうち、一方は、通常の輸液等の際に使用される流量調整ハンドル６４であり、他方は、緊急時の急速輸液等の際に使用される流量調整ハンドル６５である。操作パネル６０を傾斜面４０ａに配置することで、少なくとも立った状態で作業する医療従事者にとっての利便性、作業性は向上する。
【００２５】
操作パネル６０の下方には、送液ポンプＰ１が設けられている。送液ポンプＰ１は、矩形のボックス内で回転するロータを備え、このロータがチューブを一定方向に扱くように回転することで、液体回路２内の液体Ｌを圧送する。なお、本実施形態に係る送液ポンプＰ１は操作パネル６０よりも奥に隠れた位置に配置されており、傾斜面４０ａではなく、鉛直面上に配置されている。しかしながら、送液ポンプＰ１についても液体回路２のチューブをローラの所定位置に巻き付けて装着する際の利便性を考慮し、操作パネル６０と同様に傾斜面４０ａに設けるようにしても良い。
【００２６】
送液ポンプＰ１の下方には、液体回路２の加温バッグ１３が挿入される縦長のスロット４１が設けられている。スロット４１は、加温装置８０の挿入口となる部分であり、スロット４１内に加温装置８０が内蔵されている。スロット４１は、下端の方が上端よりも手前側に突き出すように傾斜しており、加温バッグ１３を挿入する際の作業性の向上という点で有利である。
【００２７】
スロット４１の下方には、漏出した液体Ｌを受け入れる受け皿４２が設けられている。緊急時の輸血では、液体回路２の内圧が通常輸血の場合に比べて大きくなり、その分、合成樹脂等からなる可撓性の加温バッグ１３には過負荷がかかる。当然のことながら、加温バッグ１３には、その過負荷に耐え得るだけの十分な強度を持たせているが、仮に、加温バッグ１３が破損して液体Ｌが漏出し、急速輸液装置１の全体から漏れ出てしまうと、後の作業等にも支障をきたす恐れがある。そこで、本実施形態では、筐体４０内の所定位置に保持された加温バッグの下方に、受け皿４２に接続されたスロープ４３を設けている。漏出した液体Ｌをスロープ４３で受け止めることで漏出した液体Ｌの拡散を最小限に抑えることができ、また、傾斜したスロープ４３によって受け皿４２に集約されるので急速輸液装置１の周囲の広い範囲を汚してしまうことを防ぐことができる。
【００２８】
筐体４０の側面には、液体回路２の回路パネル３を所定位置に保持する複数のフック４４が設けられている。これらのフック４４は、回路パネル３に形成された孔部３ａや切欠き３ｂに係合して回路パネル３を所定位置に位置決めする。
【００２９】
また、この側面には、液体回路２が所定位置に設置された状態において、上流側ライン１１に対応して配置された検出器３０ａ、下流側ライン１２の分岐部１２ａよりも上流側に配置された第１下流側検出器３０ｂ、下流側に配置された第２下流側検出器３０ｃ、分岐部１２ａよりも下流側の流路を開閉する主クランプ３１，追加気泡戻しライン１７を開閉する副クランプ３２、及び気泡戻しライン１５に配置された気泡除去ポンプＰ２等が設けられている。
【００３０】
筐体４０の底部には、移動可能となるように４か所にキャスター４５ａが設けられた台車部４５が設けられている。
【００３１】
また、急速輸液装置１は、各検出器３０ａ、３０ｂ、３０ｃで検出された値に基づいて送液ポンプＰ１、気泡除去ポンプＰ２、主クランプ３１、副クランプ３２を制御し、更に、加温装置８０への電力供給を制御（電流供給のためのＯＮ，ＯＦＦ制御）する制御部５０を備えている。制御部５０は、ＣＰＵ，ＲＡＭ，ＲＯＭなどが実装された制御基板やメモリ及び各種制御信号の送受信を行う通信モジュールなどを備えており、制御基板が所定のプログラムに従って動作処理を行うことにより、各種機能（例えば、流量調整機能）を実現してもよい。
【００３２】
制御部５０は、操作パネル６０に接続されており、操作パネル６０で医療従事者等による操作を受け付けると、その操作信号が制御部５０に入力され、その操作信号に基づいた制御が行われる。
【００３３】
例えば、制御部５０は、各検出器３０ａ、３０ｂ、３０ｃに有線又は無線によって接続されていており、各検出器３０ａ、３０ｂ、３０ｃで検出された値に基づいて送液ライン１０内を通過する液体Ｌ中の気泡の有無を監視する。
【００３４】
また、制御部５０は、送液ポンプＰ１及び気泡除去ポンプＰ２に有線又は無線によって接続されており、送液ポンプＰ１を制御することで上流側ライン１１を通過する液体Ｌの流量である送液流量を制御する。また、制御部５０は、気泡除去ポンプＰ２を制御することで気泡戻しライン１５を通過する液体Ｌ及び気泡の少なくとも一方の流量である戻し流量を制御する。つまり、制御部５０は、送液流量と戻し流量とを制御することにより、ドリップチャンバ７内の液面が所定の高さよりも降下しないように制御しており、基本的には、送液流量よりも戻し流量の方が少なくなるように制御している。
【００３５】
また、制御部５０は、第１下流側検出器３０ｂや第２下流側検出器３０ｃでの検出値に基づいて主クランプ３１を制御して下流側ライン１２を開閉させ、また、副クランプ３２を制御して追加気泡戻しライン１７を開閉させる。
【００３６】
また、制御部５０は、電源ユニット７０に接続されており、電源ユニット７０をＯＮ，ＯＦＦ制御することで、加温装置８０への電流の供給を制御する。電源ユニット７０は、基本的に外部電源に接続されており、制御部５０からの制御信号を受けて加温装置８０への電流の供給、停止を行う。電源ユニット７０は加温装置８０に電流を供給する電流供給部に相当する。
（スタンド部）
【００３７】
図１、図２、及び図７に示されるように、筐体４０の背面には、各種液体の貯留バッグを吊り下げて支持するスタンド部４７が設けられている。各種液体の貯留バッグとは、リザーババッグ４、血液成分を含む液体を貯留する血液成分貯留バッグ４Ａ、生理食塩水等のプライミング用液体（以下、「プライミング液」）ＰＬを貯留するプライミング液貯留バッグ４Ｂ、血液成分貯留バッグ４Ｃ等である。なお、血液成分貯留バッグ４Ａ、４Ｃは、チューブを介してリザーババッグ４に接続され、リザーババッグ４内で作業者の手で揉まれることで混合される。また、プライミング液貯留バッグ４Ｂは、液体回路２にプライミング処理を施す際に、リザーババッグ４に接続され、空の状態のリザーババッグ４内にプライミング液を供給する。
【００３８】
スタンド部４７は、筐体４０の背面から鉛直方向に立設されたパイプ状の支柱部４７ａと、支柱部４７ａの上部から屈曲し、筐体４０の前方に向かって傾斜する傾斜上端部４７ｂと、傾斜上端部４７ｂに設けられた固定ハンガー部４７ｃとを備えている。また、支柱部４７ａには、リザーババッグ４を吊り下げて支持する上段可動ハンガー部（リザーババッグ支持部）４８Ａが上下方向に移動可能に支持されており、上段可動ハンガー部４８Ａよりも下方には、プライミング液貯留バッグ４Ｂを吊り下げて支持する下段可動ハンガー部（プライミング液貯留バッグ支持部）４８Ｂが設けられている。
【００３９】
固定ハンガー部４７ｃは、傾斜上端部４７ｂから左右に突き出した一対の棒体４７ｄと、左右の棒体４７ｄそれぞれの二か所に設けられたフック４７ｅとを備えている。血液成分貯留バッグ４Ａ、４Ｃには、上部に孔が設けられており、この孔が棒体４７ｄのフック４７ｅに引っ掛けられて、吊り下げられる。
【００４０】
上段可動ハンガー部４８Ａは、支柱部４７ａに外環する筒状のスライダ部４８ａと、スライダ部４８ａに螺合貫通して支柱部４７ａに先端が当接するノブねじ４８ｂと、スライダ部４８ａに固定されて水平方向に延在する支持棒部４８ｃと、支持棒部４８ｃの三か所に設けられたフック４８ｄとを備えている。上段可動ハンガー部４８Ａは、ノブねじ４８ｂを緩めることで支柱部４７ａに対して上下方向に移動可能となり、ノブねじ４８ｂを締めることで所定の高さ位置に固定される。リザーババッグ４の上部には、三か所に孔が設けられており、この孔をフック４８ｄに引っ掛けることで、リザーババッグ４は上段可動ハンガー部４８Ａに吊り下げられる。
【００４１】
下段可動ハンガー部４８Ｂは、支柱部４７ａに外環する筒状のスライダ部４８ｅと、スライダ部４８ｅに螺合貫通して支柱部４７ａに先端が当接するノブねじ４８ｆと、スライダ部４８ｅに固定されたフック４８ｇとを備えている。下段可動ハンガー部４８Ｂは、ノブねじ４８ｆを緩めることで支柱部４７ａに対して上下方向に移動可能となり、ノブねじ４８ｆを締めることで所定の高さ位置に固定される。プライミング液貯留バッグ４Ｂの上部には、孔が設けられており、この孔をフック４８ｇに引っ掛けることで、リザーババッグ４は下段可動ハンガー部４８Ｂに吊り下げられる。
【００４２】
また、支柱部４７ａには目盛４９が刻印してある。この目盛４９は、例えば、１ｃｍ間隔で刻まれており、上段可動ハンガー部４８Ａのスライダ部４８ａの下端と下段可動ハンガー部４８Ｂのスライダ部４８ａの上端との間に刻まれた目盛４９の数を読むことで、リザーババッグ４とプライミング液貯留バッグ４Ｂとの相対的な上下位置（高低差）を把握できる。目盛４９は、位置表示部として機能する。
【００４３】
続いて、図６、及び図７を参照し、プライミング液貯留バッグ４Ｂからリザーババッグ４へ一定量のプライミング液ＰＬを供給する操作について説明する。
【００４４】
図６（ａ）は、プライミング液貯留バッグ４Ｂからリザーババッグ４へプライミング液ＰＬを供給する前の状態を示している。リザーババッグ４には、液体Ｌもプライミング液ＰＬも貯留されておらず、空の状態である。一方、プライミング液貯留バッグ４Ｂにはプライミング液ＰＬが充満されている。プライミング液貯留バッグ４Ｂの下端にはチューブが接続され、このチューブはリザーババッグ４の下部に接続してプライミング液供給ライン８を形成している。プライミング液供給ライン８の途中に配置されたプライミング液クランプ９により、プライミング液供給ライン８の開閉が可能である。
【００４５】
まず、図７に示されるように、支柱部４７ａの目盛４９を読みながら上段可動ハンガー部４８Ａのノブねじ４８ｂを適宜に調節し、上段可動ハンガー部４８Ａを所定の高さ位置で固定する。次に、支柱部４７ａの目盛４９を読みながら下段可動ハンガー部４８Ｂのノブねじ４８ｆを適宜に調節し、下段可動ハンガー部４８Ｂを所定の高さ位置で固定する。この操作によって、リザーババッグ４とプライミング液貯留バッグ４Ｂとの相対的な上下位置（高低差）が決定する。なお、使用するリザーババッグ４やプライミング液貯留バッグ４Ｂの容量に応じて、予め高低差の目安が決まっており、この目安に従って、上段可動ハンガー部４８Ａと下段可動ハンガー部４８Ｂとの位置を微調整する。
【００４６】
次に、プライミング液供給ライン８を接続する。この段階では、プライミング液クランプ９は閉じた状態になっている。
【００４７】
次に、プライミング液クランプ９を開くことにより、プライミング液貯留バッグ４Ｂからリザーババッグ４へプライミング液ＰＬが供給される。供給初期の段階では、プライミング液貯留バッグ４Ｂ内のプライミング液ＰＬの液面はリザーババッグ４内に貯留されたプライミング液ＰＬの液面よりも高い。従って、自然落下により、プライミング液貯留バッグ４Ｂからリザーババッグ４へとプライミング液ＰＬが移動する。プライミング液貯留バッグ４Ｂからリザーババッグ４へのプライミング液ＰＬの移動が進み、プライミング液貯留バッグ４Ｂ内の液面とリザーババッグ４内の液面との高さが同じになると、プライミング液ＰＬの移動が自動的に止まる。つまり、プライミング液ＰＬの供給量が所望の量となるようにリザーババッグ４とプライミング液貯留バッグ４Ｂとの高低差を調整しておけば、プライミング液クランプ９を開いた後、供給量を監視していなくてもプライミング液ＰＬを供給し過ぎることが無い。
【００４８】
なお、使用するプライミング液貯留バッグ４Ｂやリザーババッグ４の容量が異なれば、液面が同じ高さになるまでにリザーババッグ４に供給されるプライミング液ＰＬの量は異なる。従って、使用するプライミング液貯留バッグ４Ｂやリザーババッグ４に応じて、高低差を微調整する必要があるが、本実施形態では、その微調整が非常に楽である。また、医療現場において、プライミング液ＰＬを通常より多めに（又は、少なめに）貯留したい場合であっても、目盛４９を読みながら高低差を微調整することで、プライミング液ＰＬの供給量を目視で簡単に調整することが可能である。
【００４９】
以上、本実施形態に係る急速輸液装置１によれば、下段可動ハンガー部４８Ｂと上段可動ハンガー部４８Ａとの上下方向の相対位置を変えることで、プライミング液貯留バッグ４Ｂとリザーババッグ４との高低差を自由に調整でき、プライミング液ＰＬの供給量が適切になるように、プライミング液貯留バッグ４Ｂとリザーババッグ４との高低差を調節できる。その結果、供給量を監視していなくてもプライミング液ＰＬのリザーババッグ４への供給量を容易に調整できる。
【００５０】
また、本実施形態では、プライミング液貯留バッグ４Ｂは、下段可動ハンガー部４８Ｂに吊り下げられ、リザーババッグ４は、上段可動ハンガー部４８Ａに吊り下げられ、そして、下段可動ハンガー部４８Ｂは、上段可動ハンガー部４８Ａよりも下に配置されている。従って、少なくとも、プライミング液貯留バッグ４Ｂの吊り下げ位置を、リザーババッグ４の吊り下げ位置よりも低い位置にすることができる。その結果、プライミング液貯留バッグ４Ｂ内のプライミング液ＰＬの全量がリザーババッグ４内に供給されてしまうことを防止し易くなり、適量のプライミング液ＰＬを供給し易くなる。
【００５１】
また、スタンド部４７には、下段可動ハンガー部４８Ｂと上段可動ハンガー部４８Ａとの高低差を示す目盛（位置表示部）４９が設けられており、プライミング液貯留バッグ４Ｂとリザーババッグ４との高低差を目視で確認できるため、プライミング液ＰＬの供給量の微調整が容易になる。
【００５２】
以上、本発明を実施形態に基づいて説明したが、本発明は、上記の実施形態のみに限定されない。例えば、上記の実施形態では、プライミング液貯留バッグやリザーババッグを吊り下げて支持するが、プライミング液貯留バッグやリザーババッグを下方から支えて支持する態様であっても良い。また、位置表示部は等間隔で多数刻まれた目盛に限定されず、所定の高さ位置、例えば、リザーババッグ用の高さ位置とプライミング液貯留バッグ用の高さ位置の二か所に目印を刻印することも可能である。この場合、目盛を読む必要がないため、貯留バッグを固定する位置が一目で確認でき、供給量を更に容易に調整できる。また、上記の実施形態では、上段可動ハンガー部４８Ａと下段可動ハンガー部４８Ｂとの両方が上下方向に移動可能としたが、上段可動ハンガー部４８Ａと下段可動ハンガー部４８Ｂとのいずれか一方が上下方向に移動可能であっても良い。
【符号の説明】
【００５３】
１…急速輸液装置、２…液体回路、４…リザーババッグ、４Ｂ…プライミング液貯留バッグ、４７…スタンド部、４８Ａ…上段可動ハンガー部（リザーババッグ支持部）、４８Ｂ…下段可動ハンガー部（プライミング液貯留バッグ支持部）、４９…目盛（位置表示部）、Ｌ…液体、ＰＬ…プライミング液。
【図１】
2015157049.tif 000003
【図２】
2015157049.tif 000004
【図３】
2015157049.tif 000005
【図４】
2015157049.tif 000006
【図５】
2015157049.tif 000007
【図６】
2015157049.tif 000008
【図７】
2015157049.tif 000009